(57)【要約】      （修正有）【課題】見栄えのよい、安定した形状の胸にするブラジャーパッドを提供する。【解決手段】ブラジャーパッドＳＤは、パッド本体１０と、複数の帯状のセントラリゼーション構造１１０ａ〜１１０ｃとを含む。パッド本体は、対向する上縁部１１および下縁部１２と、対向する第１縁部１３および第２縁部１４とを含む。上縁部および下縁部は、第１縁部および第２縁部の間に位置する。パッド本体はカップ形状であり、凹面を有する。複数の帯状のセントラリゼーション構造は、凹面上に配置され、凹面から突出し、下縁部から上縁部の方向に互いに平行に並んで配置され、複数の帯状のセントラリゼーション構造の各々は、第１縁部から第２縁部まで延びる。複数の帯状のセントラリゼーション構造のうちの下縁部の最も近くに位置するものと下縁部との間の最小距離は、複数の帯状のセントラリゼーション構造のそれぞれの最大幅よりも大きい。【選択図】図２
0003217750.tif 000002
【実用新案登録請求の範囲】
【請求項１】
対向する第１縁部および第２縁部、前記第１縁部および前記第２縁部の間に位置し、対向する上縁部および下縁部、を含み、カップ形状であり、凹面を有するパッド本体であって、前記第１縁部を含む前記パッド本体の一部分は人の乳房の内側周辺を覆うように構成され、前記第２縁部を含む前記パッド本体の他の一部分は人の乳房の外側周辺を覆うように構成されるパッド本体と、
前記凹面上に配置され、前記凹面から突出し、前記下縁部から前記上縁部の方向に互いに平行に並べて配置され、前記第１縁部から前記第２縁部に延びる複数の帯状のセントラリゼーション構造であって、前記下縁部と前記複数の帯状のセントラリゼーション構造のうち前記下縁部の最も近くに位置する帯状のセントラリゼーション構造との間の最小距離が、前記複数の帯状のセントラリゼーション構造のそれぞれの最大幅よりも大きい複数の帯状のセントラリゼーション構造と、を備えるブラジャーパッド。
【請求項２】
前記凹面は頂点を含み、
前記頂点と、前記複数の帯状のセントラリゼーション構造のうち前記下縁部から最も遠い帯状のセントラリゼーション構造の相対する２つの端部との間の接続線は、それらの間に夾角を有し、前記夾角は９０度以上１８０度未満である、請求項１に記載のブラジャーパッド。
【請求項３】
前記第２縁部と、前記複数の帯状のセントラリゼーション構造のうち前記下縁部から最も近い帯状のセントラリゼーション構造との間の最小距離は、前記第２縁部と、前記複数の帯状のセントラリゼーション構造のうち前記下縁部から最も遠い帯状のセントラリゼーション構造との間の最小距離より大きい、請求項１に記載のブラジャーパッド。
【請求項４】
前記複数の帯状のセントラリゼーション構造の前記第１縁部に近い端部は、直線状に整列し、前記凹面に円滑に結合する、請求項１に記載のブラジャーパッド。
【請求項５】
前記複数の帯状のセントラリゼーション構造のうち前記下縁部から最も遠い帯状のセントラリゼーション構造の最大幅が、前記複数の帯状のセントラリゼーション構造のうち前記下縁部から最も近い帯状のセントラリゼーション構造の最大幅よりも大きい、請求項１に記載のブラジャーパッド。
【請求項６】
前記複数の帯状のセントラリゼーション構造のうち前記下縁部から最も遠い帯状のセントラリゼーション構造の長さが、前記複数の帯状のセントラリゼーション構造のうち前記下縁部から最も近い帯状のセントラリゼーション構造の長さよりも長い、請求項１に記載のブラジャーパッド。
【請求項７】
前記複数の帯状のセントラリゼーション構造の数は３である、請求項１に記載のブラジャーパッド。
【請求項８】
前記複数の帯状のセントラリゼーション構造のそれぞれは、サポートセクションとプッシュセクションを含み、
前記サポートセクションは前記人の乳房の下側周辺を支持するように構成され、前記プッシュセクションは前記第１縁部から前記第２縁部に向かって徐々に上方に延び、人の乳房の外側周辺を押すように構成される、請求項１に記載のブラジャーパッド。
【請求項９】
前記パッド本体の前記第２縁部と、前記パッド本体の前記上縁部及び前記下縁部それぞれとの間に夾角が形成され、
前記上縁部、前記下縁部、及び前記第１縁部は円弧を形成する、請求項１に記載のブラジャーパッド。
【請求項１０】
請求項１から請求項９の何れか一項に記載のブラジャーパッドがブラジャー領域に配置される、ブラジャー領域を有する衣服。
【考案の詳細な説明】
【技術分野】
【０００１】
本開示は、下着に関し、特に、ブラジャーパッドおよびブラジャー領域にブラジャーパッドを用いた衣類に関する。
【背景技術】
【０００２】
外観を気にする近代的な女性にとって、女性の下着は日常生活にとって欠くことのできない必需品であり、女性の姿勢をより優雅にし、自信を高めるためのツールの１つである。したがって、女性の下着に対する要求は年々増加している。下着は外観がよく見えるだけでなく、快適に着用できるように適切な素材で作られていなければならない。さらに下着は、現在、女性の要求を満たすために、寄せる、押し上げるなどの機能を有していなければならない。
【０００３】
下着のデザインに対する生産者の献身に加えて、女性の消費者が正しく適切な下着製品を選択するだけでなく、最高の着用結果を得るために下着を着用する正しい方法を学ぶことができるように、マーケットには、女性の下着を適切に着用する方法を女性消費者に教えるトレーダーがいる。下着を着用する正しい方法には、２つの非常に重要なステップがある。１つ目のステップは、乳房と、脇の下にあるはみでた乳房と、乳房の外側の端とを手で外側から内側に押し込むことであり、もう1つのステップは乳房を手で上方に押すことである。このようにして、美しい乳房の形が現れる。
【０００４】
しかしながら、最も実質的なケースでは、消費者が正しい方法で下着を着用しても、サポート力のない下着では、ユーザの活動によって徐々にカバレージを失うことになる。その結果、乳房は容易に拡張して垂れてしまう。
【考案の概要】
【課題を解決するための手段】
【０００５】
本開示で提供されるブラジャーパッドおよびブラジャー領域にブラジャーパッドを用いた衣類は、人間の乳房を寄せて押し上げる効果を有するばかりでなく、長期的な寄せて押し上げる効果を達成するために、エルゴノミクスの原理を参照することにより、指をモデルとした乳房の下側周辺から外側周辺まで延びるセントラリゼーションサポートマッサージラインを有する。
【０００６】
本開示の一実施形態によれば、ブラジャーパッドは、パッド本体と、複数の帯状のセントラリゼーション構造とを含む。パッド本体は、対向する上縁部および下縁部と、対向する第１縁部および第２縁部とを含む。上縁部および下縁部は、第１縁部および第２縁部の間に位置する。パッド本体はカップ形状であり、凹面を有する。第１縁部を含むパッド本体の一部分は、人の乳房の内側周辺を覆うように構成されている。第２縁部を含むパッド本体の一部分は、人の乳房の外側周辺を覆うように構成されている。複数の帯状のセントラリゼーション構造は、凹面上に配置され、凹面から突出している。複数の帯状のセントラリゼーション構造は、下縁部から上縁部の方向に互いに平行に並べて配置され、複数の帯状のセントラリゼーション構造のそれぞれは、第１縁部から第２縁部まで延びる。複数の帯状のセントラリゼーション構造のうちの下縁部の最も近くに位置する帯状のセントラリゼーション構造と下縁部との間の最小距離は、複数の帯状のセントラリゼーション構造のそれぞれの最大幅よりも大きい。
【０００７】
ブラジャーパッドの凹面は頂点を含んでもよい。頂点と、複数の帯状のセントラリゼーション構造のうちの下縁部から最も遠くに位置する帯状のセントラリゼーション構造の相対する２つの端部との間の接続線は、それらの間に夾角を有してもよい。夾角は、９０度以上１８０度未満であってもよい。
【０００８】
ブラジャーパッドの第２縁部と、複数の帯状のセントラリゼーション構造のうちの下縁部から最も近くに位置する帯状のセントラリゼーション構造との間の最小距離は、第２縁部と複数の帯状のセントラリゼーション構造のうちの下縁部から最も遠くに位置する帯状のセントラリゼーション構造との間の最小距離より大きくてもよい。
【０００９】
ブラジャーパッドの複数の帯状のセントラリゼーション構造の第１縁部に近い端部は、直線状に整列し、凹面に円滑に結合してもよい。
【００１０】
ブラジャーパッドの複数の帯状のセントラリゼーション構造のうちの下縁部から最も遠くに位置する帯状のセントラリゼーション構造の最大幅は、複数の帯状のセントラリゼーション構造のうちの下縁部から最も近くに位置する帯状のセントラリゼーション構造の最大幅よりも大きくてもよい。
【００１１】
ブラジャーパッドの複数の帯状のセントラリゼーション構造のうちの下縁部から最も遠くに位置する帯状のセントラリゼーション構造の長さは、複数の帯状のセントラリゼーション構造のうちの下縁部から最も近くに位置する帯状のセントラリゼーション構造の長さよりも長くてもよい。
【００１２】
ブラジャーパッドの複数の帯状のセントラリゼーション構造の数は３であってもよい。
【００１３】
ブラジャーパッドの複数の帯状のセントラリゼーション構造のそれぞれは、サポートセクションとプッシュセクションを含む。サポートセクションは、人の乳房の下側周辺を支持するように構成されてもよい。プッシュセクションは、第１縁部から第２縁部に向かって徐々に上方に延び、人の乳房の外側周辺を押すように構成されてもよい。
【００１４】
ブラジャーパッドのパッド本体の第２縁部と、パッド本体の上縁部及び下縁部それぞれとの間に夾角が形成されてもよい。上縁部、下縁部、および第１縁部は、円弧を形成してもよい。
【００１５】
本開示の他の実施形態によれば、ブラジャー領域を有する衣類が提供され、上記実施形態のいずれかのブラジャーパッドがブラジャー領域に配置される。
【考案の効果】
【００１６】
以上の説明から明らかなように、本開示のブラジャーパッドおよびブラジャー領域にブラジャーパッドを用いた衣類は、着用者に大きな快適性とカバレージを与え、さらに、人間の指を模倣するように配置され、設計された突出物によって、優れた寄せて押し上げる効果と安定性を提供する。従って、本開示のブラジャー領域にブラジャーパッドを用いた衣類は、着用者に見栄えのよい胸及び安定した形状の胸を提供することができる。
【図面の簡単な説明】
【００１７】
【図１】本開示の一実施形態によるブラジャー領域にブラジャーパッドを用いた衣類の概略図である。
【図２】本開示の一実施形態による一対のブラジャーパッドの背面図である。
【図３】図２の断面線３−３に沿った、本開示の一実施形態によるブラジャーパッドの断面図である。
【図４】本開示の他の実施形態によるブラジャー領域にブラジャーパッドを用いた衣類の概略図である。
【図５】本開示のさらに他の実施形態によるブラジャー領域にブラジャーパッドを用いた衣類の概略図である。
【考案を実施するための形態】
【００１８】
本開示は、以下に示す詳細な説明および例示的に示す添付の図面からより完全に理解されるであろう。したがって、これらは本開示を限定するものではない。
【００１９】
以下の詳細な説明では、説明のために、開示された実施形態の完全な理解を促すために、多くの特定の詳細事項が述べられる。しかしながら、これらの特定の詳細事項なしに1つまたは複数の実施形態が実施できることは明らかである。一方で、図面を簡略化するために、周知の構造およびデバイスは概略的に示す。
【００２０】
本開示において提供されるブラジャーパッドは、一対の対称的関連構造として適用され、各対のブラジャーパッドは、鏡面対称に設計される。一対のブラジャーパッドは、ブラジャー領域を有する衣類に着脱可能または非着脱可能に適用することができる。例えば、本開示で提供される一対のブラジャーパッドは、女性の下着に配置することができる。以下では、女性の下着に適用される一対のブラジャーパッドの例を詳細に説明する。
【００２１】
本開示の一実施形態によるブラジャーパッドを用いたブラジャー領域を有する衣類の概略図である図１を参照する。図１に示すように、ブラジャー領域を有する衣類は、ブラジャー領域ＢＲを備えた女性の下着によって実施される。女性用下着のブラジャー領域ＢＲのサイズおよび設定は、規則的または特定の要件に基づいて設計することができる。ブラジャー領域ＢＲは、一対のブラジャーパッドＳＤを収容する領域を含む。この領域では、一対のブラジャーパッドＳＤが鏡面対称に配置される。以下では、ブラジャー領域ＢＲに配置される一対のブラジャーパッドＳＤについて詳細に説明する。
【００２２】
図１および図２を参照すると、図２は、本開示の一実施形態による一対のブラジャーパッドの背面図である。本開示の一実施形態によれば、各ブラジャーパッドＳＤは、パッド本体１０を含む。このパッド本体１０は、上縁部１１と、下縁部１２と、第１縁部１３と、第２縁部１４と、を備える。上縁部１１は下縁部１２と対向し、第１縁部１３は第２縁部１４と対向している。上縁部１１および下縁部１２は、何れも第１縁部１３と第２縁部１４との間に位置する。より具体的には、上縁部１１のそれぞれの両端は、一端が第１縁部１３に、他端が第２縁部１４に接続され、下縁部１２のそれぞれの両端は、一端が第１縁部１３に、他端が第２縁部１４に接続される。
【００２３】
一実施形態では、第１縁部１３を含むパッド本体１０の一部分は、人の乳房の内側周辺Ｅ１を覆うように構成されている。下縁部１２を含むパッド本体１０の他の一部分は、人の乳房の下側周辺Ｅ２を覆うように構成されている。第２縁部１４を含むパッド本体１０のさらに別の一部分は、人の乳房の外側周辺Ｅ３を覆うように構成される。言い換えれば、本開示のブラジャーパッドＳＤは、人の乳房を支持し覆うために、少なくとも乳房の内側周辺Ｅ１、下側周辺Ｅ２および外側周辺Ｅ３を覆うことができる。
【００２４】
本開示のブラジャーパッドの人の乳房に対するカバレージおよび適合性を説明するために図３を参照する。図３は、本開示の一実施形態による、図２の断面線３−３に沿ったブラジャーパッドの断面図である。本実施形態において単一のブラジャーパッドＳＤのパッド本体１０はカップ形状であり、凹面ＣＳを備える。ブラジャーパッドＳＤは、人の乳房を覆うことができるばかりでなく、凹面ＣＳを介して人の乳房に完全にフィットするので、本開示において提供されるブラジャーパッドＳＤを用いてユーザが衣類を着用するときに、ユーザの胸型により適合し得る。
【００２５】
図２に戻り、本開示のブラジャーパッドＳＤは、複数の帯状のセントラリゼーション構造をさらに備える。例えば、ブラジャーパッドＳＤ上に３つの帯状のセントラリゼーション構造１１０ａ〜１１０ｃを配置することができる。本開示の説明の便宜上、以下の各実施形態において、３つの帯状のセントラリゼーション構造１１０ａ〜１１０ｃを有するブラジャーパッドＳＤが例示的な構造として設けられているが、これに限定されない。
【００２６】
セントラリゼーション構造１１０ａ〜１１０ｃは、凹面ＣＳ上に位置し、凹面ＣＳから突出している。一実施形態では、図２に示すように、帯状のセントラリゼーション構造１１０ａ〜１１０ｃが凹面ＣＳの下側に配置され、帯状のセントラリゼーション構造１１０ａ〜１１０ｃは、下縁部１２から上縁部１１の方向に互いに平行に並べて配置される。
【００２７】
より具体的には、２つの隣接する帯状のセントラリゼーション構造が互いに並んで配置されているので、２つの隣接する帯状のセントラリゼーション構造の間に溝Ｇが形成される。溝Ｇと人の肌との間に通気性のある空間が形成され、ブラジャーパッドＳＤの通気性が向上し、ユーザの暑い感覚を減少させることができる。特に、天気は夏には蒸し暑くなり、ブラジャーパッドＳＤの通気性構造は、本開示のブラジャーパッドで衣類を着用したときに、ユーザが快適に感じることができ、暑苦しくならないようにすることができる。
【００２８】
さらに、帯状のセントラリゼーション構造１１０ａ〜１１０ｃのそれぞれは、第１縁部１３から第２縁部１４まで延びており、曲線として形成されている。より具体的には、図２に示すように、帯状のセントラリゼーション構造１１０ａ〜１１０ｃの各々は、例えば、サポートセクションＳＰおよびプッシュセクションＰＨを含むことができる。帯状のセントラリゼーション構造１１０ａ〜１１０ｃの各々について、そのサポートセクションＳＰは第１縁部１３の近く、そのプッシュセクションＰＨは第２縁部１４の近くに配置される。サポートセクションＳＰは、本開示のブラジャーパッドＳＤが人の乳房を押し上げる機能を提供できるように、少なくとも人の乳房の下側周辺Ｅ２を支持するように構成される。より具体的には、サポートセクションＳＰは、人の乳房を押し上げるように、人の乳房の下側周辺Ｅ２に適度な力を上向きに加える。これは、人の乳房をユーザの指で押し上げるような効果がある。プッシュセクションＰＨは第１縁部１３から第２縁部１４に向かって徐々に上方に延びており、プッシュセクションＰＨが人の乳房の外側周辺Ｅ３を押して、人の乳房を人間の胸部の中央に寄せるように構成されることで、本開示のブラジャーパッドＳＤは、人の乳房を寄せる機能を提供することができる。より具体的には、プッシュセクションＰＨは、人の乳房を胸部の中心に押しやるように、人の乳房の外側周辺Ｅ３に適度な力を横方向に作用させることで、ユーザの指によって人の乳房を人の胸部の中心に押し込むような効果がある。
【００２９】
したがって、帯状のセントラリゼーション構造１１０ａ〜１１０ｃは、人の指を近づけるように配置され、設計された突出物であり、女性の下着を着用しているときに女性が自身の手で乳房を持ち上げて外側から内側に寄せる状況をシミュレートするように構成されている。帯状のセントラリゼーション構造のサポートセクションＳＰとプッシュセクションＰＨは、乳房の下側周辺から外側周辺に延びる指を模擬するモデルとセントラリゼーションサポートマッサージラインを形成する。したがって、セントラリゼーション構造の上記設計は、ユーザが本開示のブラジャーパッドを用いた衣類を着用したときに、ユーザの乳房に長期的な寄せて押し上げる効果を提供する。さらに、乳房の拡張または垂れる可能性を大幅に低減することができ、乳房が大きく見えることがある。
【００３０】
さらに、ブラジャーパッドが人間の皮膚に接触するとき、帯状のセントラリゼーション構造１１０ａ〜１１０ｃが提供できる押圧力は、帯状のセントラリゼーション構造が配置されていない凹面ＣＳの他の部分よりも大きい。指のように配置されたこのような突出構造を介して、ユーザは、本開示のブラジャーパッドＳＤを用いた衣類を着用したときに指圧の効果を感じることができる。さらに、帯状のセントラリゼーション構造１１０ａ〜１１０ｃは、スリップを防止する機能を有していてもよく、本開示のブラジャーパッドＳＤを用いた衣類をユーザが着用したときに、ブラジャーパッドＳＤがユーザの活動および/または着用時間によってずれるという問題が低減され得る。
【００３１】
さらに図２に示すように、一実施形態において下縁部１２と、帯状のセントラリゼーション構造１１０ａ〜１１０ｃのうち下縁部１２の最も近くに位置する帯状のセントラリゼーション構造１１０ａとの最小距離は、複数の帯状のセントラリゼーション構造１１０ａ〜１１０ｃのそれぞれの最大幅よりも大きい。帯状のセントラリゼーション構造１１０ａと下縁部１２との間の距離は、エルゴノミクスに適合するように実際の適用要件に基づいて設計することができ、本開示に限定されない。帯状のセントラリゼーション構造１１０ａは、下縁部１２から適度な距離をおいて配置されているので、寄せて押し上げる効果が大きい。さらに、この構造的配置は、ブラジャーパッドＳＤ上に配置される帯状のセントラリゼーション構造の数を減らすことができ、その結果、材料量および製造に要するコストを低減することができる。
【００３２】
一実施形態では、凹面ＣＳは、凹面の最も凹んだ部分／点である頂点Ｐを含む。頂点Ｐと、帯状のセントラリゼーション構造１１０ａ〜１１０ｃのうちの下縁部１２から最も遠い帯状のセントラリゼーション構造１１０ｃの相対する２つの端部Ｑ１、Ｑ２との間の想像上の直線である接続線は、それらの間に夾角θ１を有する。夾角θ１は、９０度以上１８０度未満である。実際には、頂点Ｐと各帯状のセントラリゼーション構造１１０ａ〜１１０ｃの２つの端部との間の接続線は、その間に夾角を有し、この夾角は、帯状のセントラリゼーション構造が乳房の下側周辺Ｅ２および外側周辺Ｅ３を覆うことができる限り、実際の適用要件に基づいて設計することができる。
【００３３】
一実施形態では、第２縁部１４と、帯状のセントラリゼーション構造１１０ａ〜１１０ｃのうちの下縁部１２から最も近い帯状のセントラリゼーション構造１１０ａとの最小距離は、第２縁部１４と、帯状のセントラリゼーション構造１１０ａ〜１１０ｃのうちの下縁部１２から最も遠い帯状のセントラリゼーション構造１１０ｃとの最小距離より大きい。実際には、第２縁部１４と、各帯状のセントラリゼーション構造１１０ａ〜１１０ｃとの最小距離は、帯状のセントラリゼーション構造が乳房の下側周辺Ｅ２および外側周辺Ｅ３を覆うことができる限り、実際の適用要件に基づいて設計することができる。
【００３４】
一実施形態では、帯状のセントラリゼーション構造１１０ａ〜１１０ｃのうちの下縁部１２から最も遠い帯状のセントラリゼーション構造１１０ｃの最大幅は、帯状のセントラリゼーション構造１１０ａ〜１１０ｃのうちの下縁部１２から最も近い帯状のセントラリゼーション構造１１０ａの最大幅より大きい。より詳細には、最大幅は、下縁部１２から上縁部１１の方向の幅の最大値を示す。特に、帯状のセントラリゼーション構造１１０ｃの第２縁部１４の近くの部分の最大幅は、帯状のセントラリゼーション構造１１０ａ、１１０ｂそれぞれの第２縁部１４の近くの部分の最大幅よりも大きい。
【００３５】
一実施形態では、帯状のセントラリゼーション構造１１０ａ〜１１０ｃのうちの下縁部１２から最も遠い帯状のセントラリゼーション構造１１０ｃの長さは、帯状のセントラリゼーション構造１１０ａ〜１１０ｃのうちの下縁部１２から最も近い帯状のセントラリゼーション構造１１０ａの長さより長い。
【００３６】
一実施形態では、帯状のセントラリゼーション構造１１０ａ〜１１０ｃの第１縁部１３に近い端部は直線状に整列し、凹面に円滑に結合する。
【００３７】
別の実施形態では、パッド本体１０のブラジャーパッドＳＤの形状およびサイズは、実際の要件に基づいて設計することができる。一実施形態では、パッド本体１０の上縁部１１と第２縁部１４との間に第1の夾角があり、パッド本体１０の下縁部１２と第２縁部１４との間に第２の夾角がある。第１および第２の夾角の大きさは本開示に限定されず、実際の設計要件に基づいて第１および第２の夾角の大きさの関係を調整することができる。また、パッド本体１０の上縁部１１、下縁部１２及び第１縁部１３は円弧を形成するので、パッド本体１０は人間の乳房の形状及びエルゴノミクスに適合し、カバレージを拡大することができる。
【００３８】
しかしながら、ブラジャーパッドによって覆われる乳房の領域は、この開示において限定されない。実際には、ブラジャーパッドの形状およびサイズは、実際の用途に基づいて調整することができる。例えば、ブラジャーパッドの形状は、ハーフカップブラジャーパッド、３／４カップブラジャーパッド、フルカップブラジャーパッド、ティアドロップ型ブラジャーパッド、三角形ブラジャーパッドなどに属することができる。
【００３９】
本開示の上記の実施形態は、女性の下着に一対のブラジャーパッドを適用することに基づいて実施されているが、本開示はこれに限定されない。他の実施形態では、本開示で提供される一対のブラジャーパッドは、ブラジャー領域ＢＲ（図４に示す）、タンクトップ（図５に示す）などに配置することができ、またはブラジャーパッドは胸部接着タイプのインビジブルなブラジャーにすることができる。
【００４０】
以上の説明から明らかなように、本発明のブラジャーパッドおよびブラジャー領域にブラジャーパッドを用いた衣類は、着用者に優れた快適性とカバレージを提供し、さらに、人間の指を模倣するように配置され、設計された突出物による優れた安定性および寄せて押し上げる効果を提供する。従って、本開示のブラジャー領域にブラジャーパッドを用いた衣類は、着用者に見栄えのよい胸及び安定した形状の胸を提供することができる。
【図１】
0003217750.tif 000003
【図２】
0003217750.tif 000004
【図３】
0003217750.tif 000005
【図４】
0003217750.tif 000006
【図５】
0003217750.tif 000007